(57)【要約】【課題】  水道管の途中位置に介在させて使用する浄水装置で、狭いスペースでも設置することができ、さらに、浄水機能や水の活性化機能を十分得ることができる浄水装置を提供する。【解決手段】  浄水装置Ａは、水道管Ｋの経路の途中位置に設けられ、ろ過部１０と、浄水装置本体１００とを有している。浄水装置本体１００は、全体に略円柱状を呈し、内部にセラミックス本体１５２が設けられている。このセラミックス本体１５２は、麦飯石と、セピオライトと、カオリンとを有していて、水の長手方向に複数の貫通穴がハニカム状に設けられている。なお、浄水装置本体をろ過部に対して、複数並列に設けるようにしてもよい。【選択図】        図１
0003107052.tif 000002
【実用新案登録請求の範囲】
【請求項１】
水道水等の水を浄化する浄水装置であって、
水をろ過するろ過部で、水を流入させる流入口と、水を流出させる流出口とを有するケース状部と、該ケース状部内に設けられたろ過用部材と、を有するろ過部と、
該ろ過部の下流側に設けられた浄水装置本体で、該ろ過部から流出した水を流入させる流入口と、水を流出させる流出口とを有し、柱状の形状を有する第２ケース状部と、該第２ケース状部内に設けられたセラミックスで、少なくとも麦飯石とセピオライトとを有するセラミックスと、を有する浄水装置本体と、
を有することを特徴とする浄水装置。
【請求項２】
上記セラミックスが略円柱状を呈するとともに、上記第２ケース状部が略円柱状を呈することを特徴とする請求項１に記載の浄水装置。
【請求項３】
水道水等の水を浄化する浄水装置であって、
水をろ過するろ過部で、水を流入させる流入口と、水を流出させる流出口とを有するケース状部と、該ケース状部内に設けられたろ過用部材と、を有するろ過部と、
該ろ過部の下流側に設けられた浄水装置本体で、該ろ過部から流出した水を流入させる流入口と、水を流出させる流出口とを有する第２ケース状部と、該第２ケース状部内に設けられた円柱状のセラミックスで、少なくとも麦飯石とセピオライトとを有するセラミックスと、を有する浄水装置本体で、該第２ケース状部が、該セラミックスを内部に収納するための円筒状部と、該円筒状部の上流側に設けられた端部構成部で水の流入口を有する端部構成部と、該円筒状部の下流側に設けられた端部構成部で水の流出口を有する第２端部構成部とを有する浄水装置本体と、
を有することを特徴とする浄水装置。
【請求項４】
上記セラミックスには、カオリンが含まれていることを特徴とする請求項１又は２又は３に記載の浄水装置。
【請求項５】
上記浄水装置本体における第２ケース状部において、セラミックスの上流側と下流側には、複数の開口部を有するろ過用板状部が設けられていることを特徴とする請求項１又は２又は３又は４に記載の浄水装置。
【請求項６】
上記セラミックスには、水の流れの方向に貫通穴が設けられていることを特徴とする請求項１又は２又は３又は４又は５に記載の浄水装置。
【請求項７】
上記ろ過部の流入口が水道管と接続可能に形成されているとともに、浄水装置本体における第２ケース状部の流出口が水道管と接続可能に形成されていることを特徴とする請求項１又は２又は３又は４又は５又は６に記載の浄水装置。
【請求項８】
上記浄水装置本体が、直列に複数接続して設けられていることを特徴とする請求項１又は２又は３又は４又は５又は６又は７に記載の浄水装置。
【請求項９】
上記浄水装置本体が、ろ過部に対して複数並列に接続され、複数の浄水装置本体における第２ケース状部の流出口に接続されるとともに、流出側の水道管に接続可能な連結部材を有することを特徴とする請求項１又は２又は３又は４又は５又は６又は７に記載の浄水装置。
【考案の詳細な説明】
【技術分野】
【０００１】
本考案は、浄水装置に関するものであり、特に、水道管直結型の浄水装置に関するものである。
【背景技術】
【０００２】
従来より水道管に直結する浄水装置においては、それなりのスペースを必要とするものであった。例えば、特許文献１に記載の浄水供給装置は、水道管の途中位置に介在させるものであるが、浄水器や圧力検出手段や制御部等が設けられているために、この浄水供給装置を設置するためのスペースを確保する必要がある。
【０００３】
また、特許文献２に示すように、麦飯石粉末に少なくともセピオライト粉末とカオリン粉末とを混合した混合粉体を焼成したセラミックスが開示されている。
【特許文献１】特開９−２３９３５４号公報
【特許文献２】特開２００２−１０４８８７号公報
【考案の開示】
【考案が解決しようとする課題】
【０００４】
しかし、上記特許文献１の浄水供給装置においては、それなりのスペースを必要としてしまい、水道管の途中位置に介在させる場合には、水道管は狭いスペースに設けられることが多いため、浄水装置を配置するための十分なスペースを確保しづらいのが現状である。
【０００５】
また、従来の浄水装置においては、浄水機能や水の活性化機能が十分でないものであった。特に、特許文献２に記載のセラミックスを水道管用の浄水装置に適用する具体的な手法が臨まれていた。
【０００６】
そこで、本考案が解決しようとする問題点は、水道管の途中位置に介在させて使用する浄水装置で、狭いスペースでも設置することができ、さらに、浄水機能や水の活性化機能を十分得ることができる浄水装置を提供することを目的とするものである。
【課題を解決するための手段】
【０００７】
本考案は上記問題点を解決するために創作されたものであって、第１には、水道水等の水を浄化する浄水装置であって、水をろ過するろ過部で、水を流入させる流入口と、水を流出させる流出口とを有するケース状部と、該ケース状部内に設けられたろ過用部材と、を有するろ過部と、該ろ過部の下流側に設けられた浄水装置本体で、該ろ過部から流出した水を流入させる流入口と、水を流出させる流出口とを有し、柱状の形状を有する第２ケース状部と、該第２ケース状部内に設けられたセラミックスで、少なくとも麦飯石とセピオライトとを有するセラミックスと、を有する浄水装置本体と、を有することを特徴とする。
【０００８】
この第１の構成の浄水装置においては、水道管からの水道水がろ過部の流入口に流入し、浄水装置本体における流出口から水道管に水が流入するようにすることにより、浄水装置を水道管の経路の途中位置に取り付けて使用する。そして、ろ過部に流入した水はろ過部におけるろ過用部材によりろ過され、その後、浄水装置本体に至る。浄水装置本体においては、水はセラミックスにより浄化されるとともに活性化される。そして、浄化及び活性化された水が流出口から流出して水道管に送られる。このように、ろ過部によるろ過と、セラミックスによる水の浄化及び活性化により浄水機能や活性化機能を十分得ることができる。また、本考案の浄水装置においては、ろ過部と浄水装置本体とが直列に水道管の経路の途中位置に設けられ、また、特に、浄水装置本体を構成する第２ケース状部は柱状の形状を呈するので、浄水装置全体として省スペースを図ることができ、少ないスペースで容易に水道管の経路の途中位置に設置することが可能となる。
【０００９】
また、第２には、上記セラミックスが略円柱状（円柱状としてもよい）を呈するとともに、上記第２ケース状部が略円柱状（円柱状としてもよい）を呈することを特徴とする。特に、第２ケース状部が略円柱状を呈するので、水道管と近似した形状とすることができ、浄水装置を容易に設置することが可能となる。
【００１０】
また、第３には、水道水等の水を浄化する浄水装置であって、水をろ過するろ過部で、水を流入させる流入口と、水を流出させる流出口とを有するケース状部と、該ケース状部内に設けられたろ過用部材と、を有するろ過部と、該ろ過部の下流側に設けられた浄水装置本体で、該ろ過部から流出した水を流入させる流入口と、水を流出させる流出口とを有する第２ケース状部と、該第２ケース状部内に設けられた円柱状のセラミックスで、少なくとも麦飯石とセピオライトとを有するセラミックスと、を有する浄水装置本体で、該第２ケース状部が、該セラミックスを内部に収納するための円筒状部と、該円筒状部の上流側に設けられた端部構成部で水の流入口を有する端部構成部と、該円筒状部の下流側に設けられた端部構成部で水の流出口を有する第２端部構成部とを有する浄水装置本体と、を有することを特徴とする。
【００１１】
この第３の構成の浄水装置においては、水道管からの水道水がろ過部の流入口に流入し、浄水装置本体における流出口から水道管に水が流入するようにすることにより、浄水装置を水道管の経路の途中位置に取り付けて使用する。そして、ろ過部に流入した水はろ過部におけるろ過用部材によりろ過され、その後、浄水装置本体に至る。浄水装置本体においては、水はセラミックスにより浄化されるとともに活性化される。そして、浄化及び活性化された水が流出口から流出して水道管に送られる。このように、ろ過部によるろ過と、セラミックスによる水の浄化及び活性化により浄水機能や活性化機能を十分得ることができる。また、本考案の浄水装置においては、ろ過部と浄水装置本体とが直列に水道管の経路の途中位置に設けられ、また、特に、浄水装置本体を構成する第２ケース状部は、円筒状部と端部構成部により構成されて、全体に略円柱状を呈するので、浄水装置全体として省スペースを図ることができ、少ないスペースで容易に水道管の経路の途中位置に設置することが可能となる。
【００１２】
また、第４には、上記第１から第３までのいずれかの構成において、上記セラミックスには、カオリンが含まれていることを特徴とする。このように、カオリンが含まれているため、セラミックスの成形能、形状保持機能を確保することができる。
【００１３】
また、第５には、上記第１から第４までのいずれかの構成において、上記浄水装置本体における第２ケース状部において、セラミックスの上流側と下流側には、複数の開口部を有するろ過用板状部が設けられていることを特徴とする。これにより、セラミックスに対して水をろ過した状態で流入させることができ、また、セラミックスから流出する水もろ過した状態で流出させることができる。
【００１４】
また、第６には、上記第１から第５までのいずれかの構成において、上記セラミックスには、水の流れの方向に貫通穴が設けられていることを特徴とする。この貫通穴を通して、水がセラミックス内を移動していく。この貫通穴は複数であることが好ましく、また、ハニカム状に形成されていることが好ましい。
【００１５】
また、第７には、上記第１から第６までのいずれかの構成において、上記ろ過部の流入口が水道管と接続可能に形成されているとともに、浄水装置本体における第２ケース状部の流出口が水道管と接続可能に形成されていることを特徴とする。
【００１６】
また、第８には、上記第１から第７までのいずれかの構成において、上記浄水装置本体が、直列に複数接続して設けられていることを特徴とする。このように浄水装置本体が直列に複数設けられているので、浄水機能や活性化機能をより十分得ることができ、また、省スペースを図ることができる。
【００１７】
また、第９には、上記第１から第７までのいずれかの構成において、上記浄水装置本体が、ろ過部に対して複数並列に接続され、複数の浄水装置本体における第２ケース状部の流出口に接続されるとともに、流出側の水道管に接続可能な連結部材を有することを特徴とする。この第９の構成の浄水装置においては、浄水装置本体が、複数並列に設けられているため、セラミックスによる浄水・活性化機能をより十分得ることができる。
【考案の効果】
【００１８】
本考案に基づく浄水装置によれば、ろ過部によるろ過と、セラミックスによる水の浄化及び活性化により浄水機能や活性化機能を十分得ることができる。また、本考案の浄水装置においては、ろ過部と浄水装置本体とが直列に水道管の経路の途中位置に設けられ、また、特に、浄水装置本体を構成する第２ケース状部は柱状の形状を呈するので、浄水装置全体として省スペースを図ることができ、少ないスペースで容易に水道管の経路の途中位置に設置することが可能となる。
【考案を実施するための最良の形態】
【００１９】
本考案においては、水道管の途中位置に介在させて使用する浄水装置で、狭いスペースでも設置することができ、さらに、浄水機能や水の活性化機能を十分得ることができる浄水装置を提供するという目的を以下のようにして実現した。
【実施例１】
【００２０】
本考案に基づく浄水装置Ａは、水道管直結型の浄水装置であり、図１〜図６に示すように構成されている。すなわち、浄水装置Ａは、ろ過部１０と、接続部６０と、浄水装置本体１００とを有している。
【００２１】
ここで、ろ過部１０は、ケース状部１５と、フィルタ部（ろ過用部材）５０とを有している。このケース状部１５は、本体部２０と、カバー部４０とを有している。この本体部２０は、筒状部２２と、側面部２４と、筒状部２６と、フランジ部２８と、板状部３０とを有している。筒状部２２は、略円筒状を呈し、側面部２４は、筒状部２２の一端側（Ｘ２側）に設けられていて、開口部を有した略円形を呈している。また、筒状部２６は、側面部２４に設けられた開口部に連設されていて、略円筒状を呈し、筒状部２２よりは径が小さく構成されている。この筒状部２６の外周には、接続部６０と螺着するためのネジ溝が設けられている。また、フランジ部２８は、リング状の板状を呈し、筒状部２２の他端側（Ｘ１側）の端部に外周方向に向けて設けられている。また、板状部３０は、複数の貫通穴を有する板状部材で、筒状部２２の内部に設けられている。この板状部３０は、ろ過部１０の軸線方向（Ｘ１−Ｘ２方向）に直角の方向に設けられている。なお、筒状部２６の開口部が水の流出口となる。
【００２２】
また、カバー部４０は、筒状部４２と、側面部４４と、筒状部４６とを有している。この筒状部４２は、略円筒状を呈し、筒状部２２と同じ径に形成されている。側面部４４は、筒状部４２の一端側（Ｘ１側）に設けられていて、開口部を有した略円形を呈している。また、筒状部４６は、側面部４４に設けられた開口部に連設されていて、略円筒状を呈し、筒状部４２よりは径が小さく構成されている。この筒状部４６の外周には、水道管と接続するための接続部１９０と螺着するためのネジ溝が設けられている。また、フランジ部４８は、リング状の板状を呈し、筒状部４２の他端側（Ｘ２側）の端部に外周方向に向けて設けられている。このフランジ部２８とフランジ部４８は、複数の開口部が設けられていて、ケース状部１５全体を組み立てた際には、フランジ部２８の一方の面とフランジ部４８の一方の面とが接した状態となり、ボルトとナット等により固着できるようになっている。なお、フランジ部２８とフランジ部４８の間には、水密性を高めるために、環板状の防水部材（例えば、ゴム部材）を介在させるのが好ましい。なお、筒状部４６の開口部が水の流入口となる。
【００２３】
上記ケース状部１５を構成する素材、すなわち、ボルトやナット等の一部の部材を除き、合成樹脂により形成されているが、ボルトやナット等の一部の部材とともに、金属により形成してもよい。
【００２４】
また、フィルタ部５０は、水道水中の浮遊物質を捕捉するための濾材である。このろ過部１０は、特に、水中のＳＳ成分を捕捉することを目的としている。このＳＳ成分とは、浮遊物質（Ｓｕｓｐｅｎｄｅｄ  Ｓｏｌｉｄｓ）の略で、水中に浮遊又は懸濁している直径２ｍｍ以下の粒子状物質で、粘土鉱物による微粒子、動植物プランクトンやその死骸、下水や工場排水等に由来する有機物や金属の沈殿物が含まれる。
【００２５】
また、接続部６０は、筒状を呈し、その内側には、他の部材と螺着するためのネジ溝が設けられている。つまり、接続部６０の両側の端部側には、ネジ溝が設けられていて、その一方は、筒状部２６に設けられたネジ溝と螺着するためのネジ溝であり、また、他方は、浄水装置本体１００における筒状部１２６に設けられたネジ溝である。
【００２６】
次に、浄水装置本体１００について説明する。浄水装置本体１００は、ケース状部（第２ケース状部）１１０と、セラミックス部１５０と、ろ過板部（ろ過用板状部）１６０、１７０とを有している。
【００２７】
ここで、ケース状部１１０は、端部構成部１２０と、端部構成部１３０と、筒状部１４０とを有している。端部構成部１２０、１３０は、ケース状部１１０の端部を構成する部材であり、端部構成部１２０は、筒状部１２２と、側面部１２４と、筒状部１２６とを有している。筒状部１２２は、略円筒状を呈し、その端部側の内周には、筒状部１４０と螺着するためのネジ溝が設けられている。なお、筒状部１２２と筒状部１４０とが螺着された状態では水密状に接続されている。また、側面部１２４は、筒状部１２２の一端側（Ｘ１側）に設けられていて、開口部を有した略円形を呈している。また、筒状部１２６は、側面部１２４に設けられた開口部に連設されていて、略円筒状を呈し、筒状部１２２よりは径が小さく構成されている。この筒状部１２６の外周には、接続部６０と螺着するためのネジ溝が設けられている。この筒状部１２６の開口部が水の流入口となる。
【００２８】
また、端部構成部１３０は、上記端部構成部１２０と同様の構成である。すなわち、この端部構成部１３０は、筒状部１３２と、側面部１３４と、筒状部１３６とを有している。筒状部１３２は、略円筒状を呈し、その端部側の内周には、筒状部１４０と螺着するためのネジ溝が設けられている。なお、筒状部１３２と筒状部１４０とが螺着された状態では水密状に接続されている。また、側面部１３４は、筒状部１３２の一端側（Ｘ２側）に設けられていて、開口部を有した略円形を呈している。また、筒状部１３６は、側面部１３４に設けられた開口部に連設されていて、略円筒状を呈し、筒状部１３２よりは径が小さく構成されている。この筒状部１３６の外周には、水道管と接続するための接続部１９５と螺着するためのネジ溝が設けられている。この筒状部１３６の開口部が水の流入口となる。
【００２９】
また、筒状部１４０は、その外径は、端部構成部１２０の筒状部１２２や端部構成部１３０の筒状部１３２の内周と略同一に構成されていて、筒状部１４０の両端部付近の外周には、筒状部１２２や筒状部１３２と螺着するためのネジ溝が設けられている。
【００３０】
上記ケース状部１１０は、上記のように構成されていることにより、内部に、セラミックス部１５０やろ過板部１６０、１７０の収納空間が形成されている。このケース状部１１０は、合成樹脂又は金属により形成されている。
【００３１】
また、セラミックス部１５０は、セラミックス本体（セラミックス）１５２と、筒状部１５４とを有している。このセラミックス本体１５２は、麦飯石と、セピオライトと、カオリンとを有していて、麦飯石粉末に少なくともセピオライト粉末とカオリン粉末とを混合した混合粉体を焼成してなるものである。このセラミックス本体１５２は、図６等に示すように、円柱状を呈し、一方の端部から他方の端部へと貫通する貫通穴１５０ａが複数設けられている。すなわち、貫通穴１５０ａは、方形状（具体的には正方形状）の断面を有する貫通穴で、図６に示すように、ハニカム状に整列して設けられている。水道水は、この貫通穴１５０ａ内を通過することにより、浄水及び活性化される。
【００３２】
このセラミックス部１５０は、図１、図４、図５等に示すように、ケース状部１１０内に収納された状態で配置される。
【００３３】
また、筒状部１５４は、全体に筒状を呈していて、セラミックス本体１５２の外周面をカバーするように形成されている。
【００３４】
なお、筒状部１５４の外径は、筒状部１４０の内径と略同一となっていて、セラミックス部１５０が筒状部１４０に丁度収納されるようになっている。この筒状部１５４は、合成樹脂又は金属により形成されている。
【００３５】
また、ろ過板部１６０は、板状部１６２と、筒状部１６４とを有していて、板状部１６２は、円形板状を呈し、一方の面から他方の面に貫通する複数の貫通穴を有している。また、筒状部１６４は、板状部１６２の外周部から突出しており、筒状を呈している。このろ過板部１６０の外径は、筒状部１２２の内径と略同一となっていて、筒状部１４０の外径と略同一となっている。このろ過板部１６０は、ケース状部１１０内に収納された状態では、端部構成部１２０内に設けられ、ろ過板部１６０を端部構成部１２０内に設けた状態で筒状部１４０を端部構成部１２０に螺着させることにより、端部構成部１２０内に固定される。このろ過板部１６０には、上記複数の貫通穴が設けられていることにより、ごみ等の浮遊物をろ過することができる。
【００３６】
また、ろ過板部１７０もろ過板部１６０と同様の構成であり、板状部１７２と、筒状部１７４とを有していて、板状部１７２は、円形板状を呈し、一方の面から他方の面に貫通する複数の貫通穴を有している。また、筒状部１７４は、板状部１７２の外周部から突出しており、筒状を呈している。このろ過板部１７０の外径は、筒状部１３２の内径と略同一となっていて、筒状部１４０の外径と略同一となっている。このろ過板部１７０は、ケース状部１１０内に収納された状態では、端部構成部１３０内に設けられ、ろ過板部１７０を端部構成部１３０内に設けた状態で筒状部１４０を端部構成部１３０に螺着させることにより、端部構成部１３０内に固定される。このろ過板部１７０には、上記複数の貫通穴が設けられていることにより、ごみ等の浮遊物をろ過することができる。
【００３７】
上記構成の浄水装置Ａは、水道管の経路の途中位置に取り付けることにより使用する。つまり、図１に示すように、ろ過部１０を水道管Ｋと接続するとともに、浄水装置本体１００を水道管Ｋに接続する。具体的には、ろ過部１０における筒状部４６と水道管Ｋとを接続部１９０を介して接続する。つまり、接続部１９０の内側には、ネジ溝が設けられていて、水道管Ｋと筒状部４６とを螺着できるようになっている。また、浄水装置本体１００における筒状部１３６と水道管Ｋとを接続部１９５を介して接続する。つまり、接続部１９５の内側には、ネジ溝が設けられていて、水道管Ｋと筒状部１３６とを螺着できるようになっている。
【００３８】
上記構成の浄水装置Ａの作用について説明する。水道水が水道管Ｋを通って浄水装置Ａに至ると、まず、ろ過部１０におけるフィルタ部５０により水中の浮遊物質が捕捉される。その後、水道水は、浄水装置本体１００に至り、ろ過板部１６０を経てセラミックス本体１５２内に至る。このようにろ過板部１６０が設けられているので、水道水を再度ろ過した状態でセラミックス本体１５２内に流入させることができる。
【００３９】
このセラミックス本体１５２においては、麦飯石が、超微細な多孔質構造を有し、また、セピオライトがトンネル多孔構造を有していることから、吸着機能に優れ、水中の不純物（例えば、水中に溶在する金属・重金属・ハロゲン等元素イオン及び混入薬剤・錯体イオン等）を吸着することができる。また、麦飯石からは、風化した構成鉱物が溶出して、水質をミネラル富化して活性化させる。さらに、上記麦飯石と上記セピオライトが複合化されることによって、上記セピオライトの結晶中のトンネル構造の壁部分の結晶構造で、一部Ｍｇ原子が上記麦飯石から供給されるアルカリ元素原子に置換され、その部分のｐＫａが１０．７〜１３．３まで強塩基点化する。そのため、上記強塩基点の触媒的作用により、水溶液中で活性酸素の発生が促進され、セラミックス本体１５２は、強い抗菌作用、脱臭効果を有するものとなり、水道水における雑菌は死滅し、また、脱臭も図ることができる。なお、セラミックス本体１５２においては、カオリンが含まれているため、セラミックスの成形能、形状保持機能を確保できる。
【００４０】
そして、セラミックス本体１５２から流出した水道水は、ろ過板部１７０を経て水道管Ｋに至る。このようにろ過板部１７０によりろ過するので、仮にセラミックス本体１５２の一部が流出しようとしても、このろ過板部１７０で捕捉することができる。以上のようにして、浄水装置Ａを通過した水道水は、浄水されるとともに活性化されることになる。
【００４１】
以上のように、本実施例の浄水装置Ａにおいては、水道管の経路の途中位置に取り付けることができ、ろ過部１０と浄水装置本体１００ともに略円柱状を呈しているので、浄水装置Ａの設置スペースが、水道管のスペースと比べてそれほど差のないスペースで済み、大きなスペースを必要としない。特に、浄水装置本体１００は、略円柱状で細長い形状を呈しているので、大きなスペースを必要としない。また、本実施例の浄水装置Ａにおいては、ろ過部１０で水中のごみを捕捉することができるとともに、浄水装置本体１００において、浄水及び活性化されるので、水道水を飲用に対しても極めて良好な状態とすることができる。また、本実施例の浄水装置Ａにおいては、浄水装置本体１００が複数直列に設けられているので、浄水機能や水の活性化機能をより十分得ることができ、また、直列に設けられていることにより、省スペースも図ることができる。
【実施例２】
【００４２】
次に、実施例２について説明する。実施例１における浄水装置Ａにおいては、浄水装置本体が１つ設けられた構成であるが、この実施例２における浄水装置は、２つの浄水装置本体を有している。
【００４３】
すなわち、本考案に基づく浄水装置Ｂは、水道管直結型の浄水装置であり、図７〜図９に示すように構成されていて、浄水装置Ｂは、ろ過部２１０と、接続部２６０と、浄水装置本体３００、４００と、連結部材５００とを有している。
【００４４】
ここで、ろ過部２１０は、上記ろ過部１０と同様の構成であるが、本体部２２０の側面部から筒状部が２つ突出している点が異なる。つまり、ろ過部２１０は、ケース状部２１５と、フィルタ部（ろ過用部材）２５０とを有し、ケース状部２１５は、ケース本体部２２０と、カバー部２４０とを有していて、本体部２２０は、上記のように、筒状部２２６ａ、２２６ｂの２つを有している点を除けば本体部１０と同様の構成である。また、カバー部２４０は、上記カバー部４０と同様の構成であるので、詳しい説明を省略する。なお、筒状部２４６の開口部が水の流入口となり、筒状部２２６ａ、２２６ｂの開口部が水の流出口となる。また、上記フィルタ部２５０は、上記フィルタ部５０と同様の構成であるので、詳しい説明を省略する。
【００４５】
また、接続部２６０は、上記接続部６０と同様の構成である。つまり、接続部２６０は、筒状を呈し、その内側には、他の部材と螺着するためのネジ溝が設けられている。
【００４６】
また、浄水装置本体３００は、ケース状部（第２ケース状部）３１０と、セラミックス部３５０と、ろ過板部（ろ過用板状部）３６０、３７０とを有している。
【００４７】
ここで、ケース状部３１０は、端部構成部３２０と、端部構成部３３０と、筒状部３４０とを有している。端部構成部３２０、３３０は、ケース状部３１０の端部を構成する部材であり、端部構成部３２０は、筒状部３２２と、側面部３２４と、筒状部３２６とを有している。筒状部３２２と側面部３２４の構成は、上記筒状部１２２と側面部１２４の構成と同様であるので、詳しい説明を省略する。また、筒状部３２６は、上記筒状部１２６とは異なり、屈曲した筒状を呈し、側面部３２４から軸線方向（Ｘ１−Ｘ２方向）に伸びた管状部３２６ａと、管状部３２６ａに連設され管状部３２６ａに対して直角をなす管状部３２６ｂと、管状部３２６ｂに連設され軸線方向に設けられた管状部３２６ｃとを有している。管状部３２６ａ、３２６ｂ、３２６ｃは、ともに略円筒状を呈し、筒状部３２２よりは小径に形成されている。この筒状部３２６ｃの外周には、接続部２６０と螺着するためのネジ溝が設けられている。この筒状部３２６ｃは、接続部２６０を介してろ過部２１０の筒状部２２６ａと接続されている。この筒状部３２６ｃの開口部が水の流入口となる。
【００４８】
また、端部構成部３３０は、上記端部構成部３２０と同様の構成であるので、詳しい説明を省略するが、この端部構成部３３０は、筒状部３３２と、側面部３３４と、筒状部３３６とを有しており、筒状部３３２は、筒状部３２２と同様の構成であり、側面部３３４は、側面部３２４と同様の構成であり、筒状部３３６は、筒状部３２６と同様の構成である。この筒状部３３６は、管状部３３６ａと、管状部３３６ｂと、管状部３３６ｃとを有している。この筒状部３３６ｃの外周には、接続部６００と螺着するためのネジ溝が設けられている。また、筒状部３３６ｃの開口部が水の流出口となる。この筒状部３３６ｃは、接続部６００を介して連結部材５００と接続されている。
【００４９】
また、セラミックス部３５０は、セラミックス本体（セラミックス）３５２と、筒状部３５４とを有している。このセラミックス本体３５２と筒状部３５４の構成は、上記セラミックス本体１５２と筒状部１５４と同様であるので、詳しい説明を省略する。
【００５０】
また、ろ過板部３６０は、板状部３６２と、筒状部３６４とを有している。この板状部３６２は、板状部１６２と同様の構成であり、また、筒状部３６４は、筒状部１６４と同様の構成であるので、詳しい説明を省略する。また、ろ過板部３７０もろ過板部３６０と同様の構成であり、板状部３７２と、筒状部３７４とを有している。板状部３７２は、板状部１７２と同様の構成であり、また、筒状部３７４は、筒状部１７４と同様の構成であるので、詳しい説明を省略する。
【００５１】
また、浄水装置本体４００は、上記浄水装置本体３００と同様の構成である。すなわち、浄水装置本体４００は、ケース状部（第２ケース状部）４１０と、セラミックス部４５０と、ろ過板部（ろ過用板状部）４６０、４７０とを有している。
【００５２】
ここで、ケース状部４１０は、端部構成部４２０と、端部構成部４３０と、筒状部４４０とを有している。端部構成部４２０、４３０は、ケース状部４１０の端部を構成する部材であり、端部構成部４２０は、筒状部４２２と、側面部４２４と、筒状部４２６とを有している。筒状部４２２と側面部４２４の構成は、上記筒状部３２２と側面部３２４の構成と同様であるので、詳しい説明を省略する。また、筒状部４２６は、筒状部３２６と同様に、屈曲した筒状を呈し、側面部４２４から軸線方向（Ｘ１−Ｘ２方向）に伸びた管状部４２６ａと、管状部４２６ａに連設され管状部４２６ａに対して直角をなす管状部４２６ｂと、管状部４２６ｂに連設され軸線方向に設けられた管状部４２６ｃとを有している。管状部４２６ａ、４２６ｂ、４２６ｃは、ともに略円筒状を呈し、筒状部４２２よりは小径に形成されている。この筒状部４２６ｃの外周には、接続部２６２と螺着するためのネジ溝が設けられている。この筒状部４２６ｃは、接続部２６２を介してろ過部２１０の筒状部２２６ｂと接続されている。この筒状部４２６ｃの開口部が水の流入口となる。
【００５３】
また、端部構成部４３０は、上記端部構成部３３０と同様の構成であるので、詳しい説明を省略するが、この端部構成部４３０は、筒状部４３２と、側面部４３４と、筒状部４３６とを有しており、筒状部４３２は、筒状部４２２と同様の構成であり、側面部４３４は、側面部４２４と同様の構成であり、筒状部４３６は、筒状部４２６と同様の構成である。この筒状部４３６は、管状部４３６ａと、管状部４３６ｂと、管状部４３６ｃとを有している。この筒状部４３６ｃの外周には、接続部６１０と螺着するためのネジ溝が設けられている。また、筒状部４３６ｃの開口部が水の流出口となる。この筒状部４３６ｃは、接続部６１０を介して連結部材５００と接続されている。
【００５４】
また、セラミックス部４５０は、セラミックス本体（セラミックス）４５２と、筒状部４５４とを有している。このセラミックス本体４５２と筒状部４５４の構成は、上記セラミックス本体３５２と筒状部３５４と同様であるので、詳しい説明を省略する。
【００５５】
また、ろ過板部４６０は、板状部４６２と、筒状部４６４とを有している。この板状部４６２は、板状部３６２と同様の構成であり、また、筒状部４６４は、筒状部３６４と同様の構成であるので、詳しい説明を省略する。また、ろ過板部４７０もろ過板部４６０と同様の構成であり、板状部４７２と、筒状部４７４とを有している。板状部４７２は、板状部４６２と同様の構成であり、また、筒状部４７４は、筒状部４６４と同様の構成であるので、詳しい説明を省略する。
【００５６】
また、連結部材５００は、浄水装置本体３００、４００と、水道管Ｋとを連結するための部材であり、中空円柱状の本体部５１０と、管状部５２０と、管状部５３０と、管状部を５４０とを有している。本体部５１０の周面には互いに対向する位置に開口部が設けられている。また、管状部５２０は、管状を呈し、本体部５１０に設けられた一方の開口部の位置に設けられており、また、管状部５３０は、同様に管状を呈し、本体部５１０に設けられた他方の開口部の位置に設けられている。また、管状部５２０、５３０は、互いにＬ字状を呈し、その開口部は、ともに軸線方向（具体的には、Ｘ１側）を向いている。この管状部５２０の外周には接続部６００に螺着するためのネジ溝が設けられていて、筒状部３３６と管状部５２０とは、接続部６００を介して接続されている。また、管状部５３０の外周には接続部６１０に螺着するためのネジ溝が設けられていて、筒状部４３６と管状部５３０とは、接続部６１０を介して接続されている。また、本体部５１０のＸ２側の側面には開口部が設けられ、その開口部には、管状部５４０が設けられている。この管状部５４０の開口部は、軸線方向（具体的には、Ｘ２側）を向いている。この管状部５４０の外周には、ネジ溝が設けられていて、接続部７１０と螺着して接続できるようになっている。
【００５７】
また、接続部６００と接続部６１０は、筒状を呈し、その内側には、他の部材と螺着するためのネジ溝が設けられている。つまり、接続部６００の内側の両側には、ネジ溝が設けられていて、筒状部３３６と管状部５２０とを接続できるようになっている。また、接続部６１０の内側の両側には、ネジ溝が設けられていて、筒状部４３６と管状部５３０とを接続できるようになっている。
【００５８】
上記構成の浄水装置Ｂは、水道管の経路の途中位置に取り付けることにより使用する。つまり、図７に示すように、ろ過部２１０を水道管Ｋと接続するとともに、浄水装置本体３００と浄水装置本体４００とを連結部材５００を介して水道管Ｋに接続する。具体的には、ろ過部２１０における筒状部２４６と水道管Ｋとを接続部７００を介して接続する。つまり、接続部７００の内側には、ネジ溝が設けられていて、水道管Ｋと筒状部２４６とを螺着できるようになっている。また、連結部材５００における管状部５４０と水道管Ｋとを接続部７１０を介して接続する。つまり、接続部７１０の内側には、ネジ溝が設けられていて、水道管Ｋと管状部５４０とを螺着できるようになっている。
【００５９】
上記構成の浄水装置Ｂの作用について説明する。水道水が水道管Ｋを通って浄水装置Ｂに至ると、まず、ろ過部２１０におけるフィルタ部２５０によりごみ等の浮遊物が捕捉される。その後、水道水は、筒状部２２６ａと筒状部２２６ｂから流出して、浄水装置本体３００と浄水装置本体４００に至る。
【００６０】
浄水装置本体３００においては、ろ過板部３６０を経てセラミックス本体３５２内に至る。
【００６１】
このセラミックス本体３５２においては、麦飯石が、超微細な多孔質構造を有し、また、セピオライトがトンネル多孔構造を有していることから、吸着機能に優れ、水中の不純物を吸着することができる。また、麦飯石からは、風化した構成鉱物が溶出して、水質をミネラル富化する。さらに、上記麦飯石と上記セピオライトが複合化されることによって、上記セピオライトの結晶中のトンネル構造の壁部分の結晶構造で、一部Ｍｇ原子が上記麦飯石から供給されるアルカリ元素原子に置換され、その部分のｐＫａが１０．７〜１３．３まで強塩基点化する。そのため、上記強塩基点の触媒的作用により、水溶液中で活性酸素の発生が促進され、セラミックス本体３５２は、強い抗菌作用、脱臭効果を有するものとなり、水道水における雑菌は死滅し、また、脱臭も図ることができる。なお、セラミックス本体３５２においては、カオリンが含まれているため、セラミックスの成形能、形状保持機能を確保できる。
【００６２】
そして、セラミックス本体３５２から流出した水道水は、ろ過板部３７０を経て浄水装置本体３００から流出して、連結部材５００に至る。
【００６３】
また、浄水装置本体４００においては、ろ過板部４６０を経てセラミックス本体４５２内に至る。
【００６４】
このセラミックス本体４５２においては、麦飯石が、超微細な多孔質構造を有し、また、セピオライトがトンネル多孔構造を有していることから、吸着機能に優れ、水中の不純物を吸着することができる。また、麦飯石からは、風化した構成鉱物が溶出して、水質をミネラル富化する。さらに、上記麦飯石と上記セピオライトが複合化されることによって、上記セピオライトの結晶中のトンネル構造の壁部分の結晶構造で、一部Ｍｇ原子が上記麦飯石から供給されるアルカリ元素原子に置換され、その部分のｐＫａが１０．７〜１３．３まで強塩基点化する。そのため、上記強塩基点の触媒的作用により、水溶液中で活性酸素の発生が促進され、セラミックス本体４５２は、強い抗菌作用、脱臭効果を有するものとなり、水道水における雑菌は死滅し、また、脱臭も図ることができる。なお、セラミックス本体４５２においては、カオリンが含まれているため、セラミックスの成形能、形状保持機能を確保できる。
【００６５】
そして、セラミックス本体４５０から流出した水道水は、ろ過板部４７０を経て浄水装置本体４００から流出して、連結部材５００に至る。
【００６６】
連結部材５００に流入した水道水は、管状部５４０から流出して水道管Ｋに至る。
【００６７】
このように、浄水装置Ｂを通過した水道水は、浄水されるとともに活性化されることになる。特に、浄水装置Ｂにおいては、セラミックス本体が並列に設けられているので、水道水の浄化、活性化機能を十分に得ることができる。
【００６８】
以上のように、本実施例の浄水装置Ｂにおいては、水道管の経路の途中位置に取り付けることができ、フィルタ部２１０と浄水装置本体３００、４００は、ともに略円柱状を呈しているので、浄水装置Ｂの設置スペースが、水道管のスペースと比べてそれほど差のないスペースで済み、大きなスペースを必要としない。なお、浄水装置本体３００と浄水装置本体４００は並列に設けられ、その分横方向の幅を必要とするが、浄水装置本体３００、４００は、ともに略円柱状で細長い形状を呈しているので、それほど大きなスペースを必要としない。また、本実施例の浄水装置Ｂにおいては、フィルタ部２１０で水中のごみを捕捉することができるとともに、浄水装置本体３００、４００において、浄水及び活性化されるので、水道水を飲用に対しても極めて良好な状態とすることができる。
【００６９】
なお、上記実施例２においては、ろ過部２１０に対して２つの浄水装置本体を並列に設けるものとして説明したが、３つ以上の浄水装置本体を並列に設けるようにしてもよい。また、上記実施例１、実施例２においては、浄水装置本体は直列方向には１つのみ設けられているが、浄水装置本体を直列方向に複数連結してもよい。例えば、実施例１において、２以上の浄水装置本体を連結してもよいし、また、実施例２において、連結部材５００と水道管Ｋの間に浄水装置本体を設けて、並列に設けられた浄水装置本体に、さらに、浄水装置本体を直列に連結してもよい。
【００７０】
また、上記実施例１、実施例２においては、浄水装置本体１００や浄水装置本体３００、４００は、略円柱状であるとしたが、略四角柱状や略三角柱状等細長い形状、すなわち、柱状であればよい。
【図面の簡単な説明】
【００７１】
【図１】本考案の実施例１に基づく浄水装置の構成を示す断面図である。
【図２】浄水装置におけるろ過部の構成を示す断面図である。
【図３】浄水装置におけるろ過部の構成を示す分解斜視図である。
【図４】浄水装置における浄水装置本体の構成を示す断面図である。
【図５】浄水装置における浄水装置本体の構成を示す分解斜視図である。
【図６】セラミックス本体を示す斜視図である。
【図７】本考案の実施例２に基づく浄水装置の構成を示す断面図である。
【図８】浄水装置における浄水装置本体の構成を示す分解斜視図である。
【図９】連結部材の構成を示す斜視図である。
【符号の説明】
【００７２】
Ａ、Ｂ  浄水装置
１０、２１０  ろ過部
１５、２１５  ケース状部
２０、２２０  本体部
４０、２４０  カバー部
５０、２５０  フィルタ部
６０、２６０、２６２、６００、６１０  接続部
１００、３００、４００  浄水装置本体
１１０、３１０、４１０  ケース状部
１５０、３５０、４５０  セラミックス部
１５２、３５２、４５２  セラミックス本体
１６０、１７０、３６０、３７０、４６０、４７０  ろ過板部
５００  連結部材
【図１】
0003107052.tif 000003
【図２】
0003107052.tif 000004
【図３】
0003107052.tif 000005
【図４】
0003107052.tif 000006
【図５】
0003107052.tif 000007
【図６】
0003107052.tif 000008
【図７】
0003107052.tif 000009
【図８】
0003107052.tif 000010
【図９】
0003107052.tif 000011